(57)【要約】【課題】本構成を有しない場合と比較して、原稿の画像を読み取るための原稿読取開始指示信号を受信してから原稿の読み取りを開始するまでの時間を短縮する画像読取装置及び画像読取プログラムを提供する。【解決手段】、指示受信部９０で画像読取開始指示信号を受信してから読取条件指示信号を受信するまでの間に、光量データ取得部８２でカラーモード光量データ及び白黒モード光量データを取得し、読取条件指示信号を受信すると、受信した読取指示信号に対応するモードの光量データを用いて、補正パラメータ生成部８４で補正パラメータとして光量比及び黒レベル変動量を算出し、補正パラメータ設定部８６に設定する。原稿の画像を読み取った画像信号は、処理部１６に入力され、画像処理部９４で補正パラメータ設定部８６に設定されている補正パラメータを用いて補正処理され、原稿画像データが生成される。【選択図】図４
2010232880.tif 000002
【特許請求の範囲】
【請求項１】
使用者により原稿の読み取り開始が指示されたことを示す原稿読取開始指示信号及び画像を読み取る読取条件を指示するための読取条件指示信号を操作指示受付部から受信する指示受信手段と、
前記指示受信手段で読取条件指示信号を受信した後、前記原稿に光学手段から光を照射し、前記原稿からの反射光により前記原稿の画像を読み取る画像読取手段と、
前記光学手段から照射する光の基準量を示す基準光量情報を記憶する基準光量情報記憶手段と、
前記指示受信手段で前記原稿読取開始指示信号を受信した後、前記読取条件指示信号を受信する前に、予め定められた複数の読取条件毎の前記光量情報を取得する光量情報取得手段と、
前記基準光量情報記憶手段に記憶されている前記基準光量情報と、前記光量情報取得手段で取得した複数の前記光量情報のうち少なくとも１つの光量情報と、に基づいて前記画像読取手段で読み取った画像の画像情報を補正するための補正値を算出する補正値算出手段と、
を備えた画像読取装置。
【請求項２】
前記補正値算出手段は、前記基準光量情報と、前記光量情報取得手段で取得した複数の前記光量情報のうち、前記指示受信手段で受信した前記読取条件指示信号に対応する前記光量情報と、に基づいて前記補正値を算出する、
請求項１に記載の画像読取装置。
【請求項３】
前記補正値算出手段で算出した前記補正値により前記画像読取手段で読み取った画像の画像情報を補正する画像補正手段を備えた、
請求項１または請求項２に記載の画像読取装置。
【請求項４】
前記光量情報取得手段は、前記画像読取手段が複数枚の前記原稿を読み取る場合に、原稿を読み取ってから次の原稿の読み取りを開始するまでの間で、前記指示受信手段で受信した前記読取条件に対応する前記光量情報を取得し、前記補正値算出手段は、前記光量情報取得手段で取得した当該光量情報と、前記基準光量情報と、に基づいて前記補正値を算出する、
請求項１から請求項３のいずれか１項に記載の画像読読取装置。
【請求項５】
前記補正値は、前記光学手段の光量比、黒基準情報、及びシェーディングデータの少なくとも１つである、
請求項１から請求項４のいずれか１項に記載の画像読取装置。
【請求項６】
前記予め定められた複数の読取条件毎の光量情報とその他の読取条件の光量情報との比を予め記憶する光量比記憶手段を備え、
前記補正値算出手段は、前記指示受信手段で受信した読取条件がその他の読取条件である場合に、前記基準光量情報記憶手段に記憶されている前記基準光量情報と、前記光量情報取得手段で取得した前記光量情報と、前記光量比記憶手段に記憶されている比と、に基づいて前記補正値を算出する、
請求項１から請求項５のいずれか１項に記載の画像読取装置。
【請求項７】
コンピュータを、請求項１から請求項６のいずれか１項に記載の光量情報取得手段及び補正値算出手段として機能させるための画像読取プログラム。
【発明の詳細な説明】
【技術分野】
【０００１】
本発明は、画像読取装置及び画像読取プログラムに関する。
【背景技術】
【０００２】
特許文献１には、シェーディングデータファイルに予めスキャンモードの種類毎にシェーディングデータを記憶しておき、画像読取を実行する際に、その読取りのスキャンモードに対応するシェーディングデータがシェーディングデータファイルに有るか判断し、有る場合はファイルからそのデータを読取り、無い場合はシェーディングデータを生成し、画像読取りを実行する技術が記載されている。
【先行技術文献】
【特許文献】
【０００３】
【特許文献１】特開２００２−４４４３７号公報
【発明の概要】
【発明が解決しようとする課題】
【０００４】
本発明は、本構成を有しない場合と比較して、原稿の画像を読み取るための原稿読取開始指示信号を受信してから原稿の読み取りを開始するまでの時間を短縮する画像読取装置及び画像読取プログラムを提供することを目的とする。
【課題を解決するための手段】
【０００５】
上記目的を達成するために、請求項１に記載の画像読取装置は、使用者により原稿の読み取り開始が指示されたことを示す原稿読取開始指示信号及び画像を読み取る読取条件を指示するための読取条件指示信号を操作指示受付部から受信する指示受信手段と、前記指示受信手段で読取条件指示信号を受信した後、前記原稿に光学手段から光を照射し、前記原稿からの反射光により前記原稿の画像を読み取る画像読取手段と、前記光学手段から照射する光の基準量を示す基準光量情報を記憶する基準光量情報記憶手段と、前記指示受信手段で前記原稿読取開始指示信号を受信した後、前記読取条件指示信号を受信する前に、予め定められた複数の読取条件毎の前記光量情報を取得する光量情報取得手段と、前記基準光量情報記憶手段に記憶されている前記基準光量情報と、前記光量情報取得手段で取得した複数の前記光量情報のうち少なくとも１つの光量情報と、に基づいて前記画像読取手段で読み取った画像の画像情報を補正するための補正情報に関する補正値を算出する補正値算出手段と、を備える。
【０００６】
請求項２に記載の画像読取装置は、請求項１に記載の画像読取装置において、前記補正値算出手段は、前記基準光量情報と、前記光量情報取得手段で取得した複数の前記光量情報のうち、前記指示受信手段で受信した前記読取条件指示信号に対応する前記光量情報と、に基づいて前記補正値を算出する。
【０００７】
請求項３に記載の画像読取装置は、請求項１または請求項２に記載の画像読読取装置において、前記補正値算出手段で算出した前記補正値により前記画像読取手段で読み取った画像の画像情報を補正する画像補正手段を備える。
【０００８】
請求項４に記載の画像読取装置は、請求項１から請求項３のいずれか１項に記載の画像読読取装置において、前記光量情報取得手段は、前記画像読取手段が複数枚の前記原稿を読み取る場合に、原稿を読み取ってから次の原稿の読み取りを開始するまでの間で、前記指示受信手段で受信した前記読取条件に対応する前記光量情報を取得し、前記補正値算出手段は、前記光量情報取得手段で取得した当該光量情報と、前記基準光量情報と、に基づいて前記補正値を算出する。
【０００９】
請求項５に記載の画像読取装置は、請求項１から請求項４のいずれか１項に記載の画像読取装置において、前記補正値は、前記光学手段の光量比、黒基準情報、及びシェーディングデータの少なくとも１つである。
【００１０】
請求項６に記載の画像読取装置は、請求項１から請求項５のいずれか１項に記載の画像読取装置において、前記予め定められた複数の読取条件毎の光量情報とその他の読取条件の光量情報との比を予め記憶する光量比記憶手段を備え、前記補正値算出手段は、前記指示受信手段で受信した読取条件がその他の読取条件である場合に、前記基準光量情報記憶手段に記憶されている前記基準光量情報と、前記光量情報取得手段で取得した前記光量情報と、前記光量比記憶手段に記憶されている比と、に基づいて前記補正値を算出する。
【００１１】
請求項７に記載の画像読取プログラムは、コンピュータを、請求項１から請求項６のいずれか１項に記載の光量情報取得手段及び補正値算出手段として機能させるためのものである。
【発明の効果】
【００１２】
請求項１及び７に記載の本発明によれば、本構成を有しない場合と比較して、原稿の画像を読み取るための原稿読取開始指示信号を受信してから原稿の読み取りを開始するまでの時間を短縮することができる、という効果が得られる。
【００１３】
請求項２に記載の本発明によれば、本構成を有しない場合と比較して、より時間を短縮することができる、という効果が得られる。
【００１４】
請求項３に記載の本発明によれば、本構成を有しない場合と比較して、短時間で画質を低下させることなく補正された画像情報が得られる、という効果が得られる。
【００１５】
請求項４に記載の本発明によれば、本構成を有しない場合と比較して、精度よく画像情報の補正が行える、という効果が得られる。
【００１６】
請求項５に記載の本発明によれば、本構成を有しない場合と比較して、精度よく画像情報の補正を容易に行える、という効果が得られる。
【００１７】
請求項６に記載の本発明によれば、本構成を有しない場合と比較して、読取条件が複数有る場合でも原稿の画像を読み取るための原稿読取開始指示信号を受信してから原稿の読み取りを開始するまでの時間を短縮することができる、という効果が得られる。
【図面の簡単な説明】
【００１８】
【図１】本発明の第１の実施の形態に係る画像読取装置の概略構成の一例を示す側面図である。
【図２】本発明の第１の実施の形態に係る画像読取装置の画像読取処理部の装置フレームに設けられているプラテンガラス、白基準板、及びＣＶＴガラスの概略構成の一例を示す概略構成図である。
【図３】本発明の第１の実施の形態に係る処理部の概略構成の一例を示す機能ブロック図である。
【図４】本発明の第１の実施の形態に係る処理部の制御部で実行される画像読取処理の一例を示すフローチャートである。
【図５】本発明の第１の実施の形態に係る画像読取処理におけるカラーモード光量データ取得処理の一例を示すフローチャートである。
【図６】本発明の第１の実施の形態に係る画像読取処理における白黒モード光量データ取得処理の一例を示すフローチャートである。
【図７】本発明の第２の実施の形態に係る予め定められた複数のモード毎の光量データと、その他のモードの光量データと、の光量比の具体的一例を示す説明図である。
【図８】本発明の第２の実施の形態に係る画像読取処理におけるカラーモード光量データ取得処理の一例を示すフローチャートである。
【発明を実施するための形態】
【００１９】
［第１の実施の形態］
以下、図面を参照して本発明の実施の形態を詳細に説明する。なお、本実施の形態の画像読取装置は、原稿を読み取るために光を照射する光源であるランプの光量に関する光量データを画像読取装置の電源投入時等に取得した基準光量データと画像を読み取る際に取得した光量データとに基づいて補正パラメータを算出し、算出した補正パラメータを用いて原稿の画像を読み取った画像データを補正するものである。光量データは、原稿画像を読み取る読取条件（モード）等により異なった値となる。
【００２０】
まず、本実施の形態にかかる画像読取装置の全体構成について説明する。図１は、本実施の形態に係る画像読取装置の概略構成の一例を示す側面図である。本実施の形態の画像読取装置１０は、自動原稿送り装置１２と、原稿の表面に形成された画像を読み取る画像読取処理部１４と、読み取った原稿画像の画像データを処理する処理部１６と、を備えて構成されている。
【００２１】
本実施の形態の自動原稿送り装置１２は、少なくとも１枚の原稿が置かれる原稿台２０と、原稿を搬送する原稿搬送路２２と、画像を読み取った後の原稿が排出される排出台２４と、密着型イメージセンサ（ＣＩＳ）２５と、を含んで構成されている。
【００２２】
原稿搬送路２２は、Ｕ字状に形成され、原稿搬送路２２の周囲には、用紙送出ロール２６、送出ロール２８、プリ位置合わせロール３０、位置合わせロール３２、プラテンロール３４、アウトロール３６、及び排出ロール３８が設けられている。用紙送出ロール２６は、原稿送り時に下降し、原稿台２０に置かれた原稿をピックアップする。送出ロール２８は、用紙送出ロール２６から送られた原稿のうち最上部にある原稿のみを内部に供給する。プリ位置合わせロール３０は、送出ロール２８から送られた原稿を一時停止させ、斜行補正する。位置合わせロール３２は、プリ位置合わせロール３０から送られた原稿を一時停止させ、読取りタイミングを調整する。プラテンロール３４は、原稿搬送路２２を通る原稿をＣＶＴガラス５４に対峙させる。アウトロール３６及び排出ロール３８は、読み取った原稿を排出台２４へ排出する。
【００２３】
密着型イメージセンサ２５は、アウトロール３６と排出ロール３８との間に配置され、原稿の裏面に形成された画像を上方から読み取るためのものである。密着型イメージセンサ２５の下方には、白基準板４０が原稿搬送路２２を挟んで密着型イメージセンサ２５に対向するように配置されている。白基準板４０は、上方に向けられた反射面が画像読み取りの基準となる白色にされており、密着型イメージセンサ２５の光源部（図示省略）が照射した光を白色に対する基準反射光として密着型イメージセンサ２５に向けて反射する。
【００２４】
本実施の形態の画像読取装置１０は、原稿台２０から自動原稿送り装置１２により送られた原稿の表面を流し読みする機能と、プラテンガラス５０上に置かれた原稿の表面を読み取る機能と、自動原稿送り装置１２により送られた原稿の両面（表面及び裏面)の各々を読み取る機能と、を備えている。
【００２５】
本実施の形態の画像読取処理部１４は、筐体である装置フレーム６９内に、光学部（図３、光学部７９参照）及び画像読取部６５を備える。また、画像読取処理部１４は、処理部１６（詳細後述）を装置フレーム６９内に備えている。
【００２６】
装置フレーム６９の自動原稿送り装置１２に対向する面には、図２に示すように、画像を読み取る原稿が置かれるプラテンガラス５０、白基準板５２、及び自動原稿送り装置１２によって搬送中の原稿を読み取るために原稿に光を照射するための開口部となるＣＶＴ（Ｃｏｎｓｔａｎｔ  Ｖｅｌｏｃｉｔｙ  Ｔｒａｎｓｐｏｒｔ：原稿定速搬送）ガラス５４が設けられている。
【００２７】
光学部は、フルレートキャリッジ５６及びハーフレートキャリッジ５８を含んで構成されている。
【００２８】
フルレートキャリッジ５６は、光源（照明ランプ）７０及びミラー７２を有しており、プラテンガラス５０上の原稿の画像を読み取る場合は、図中の矢印Ａ方向に移動する。ハーフレートキャリッジ５８は、ミラー７４及びミラー７６を有している。
【００２９】
光源７０から照射された光は、プラテンガラス５０上の原稿、または自動原稿送り装置１２により送られてきた原稿に照射され、反射される。反射光は、ミラー７２、ミラー７４、及びミラー７６を介してレンズ６７により光電変換素子（ＣＣＤ）６６の受光面に結像される。
【００３０】
光電変換素子６６は、受光面に結像された光学像を光電変換し、アナログの電気信号である画像信号を生成する。生成された画像信号は、駆動基板６８を介して処理部１６（詳細後述）に送られる。なお、画像データを補正するための光量データを取得する場合（詳細後述）は、画像信号として、白基準板５２等を読み取った補正用の画像信号を生成し、原稿を読み取る場合は、原稿画像を読み取った画像信号を生成する。
【００３１】
なお、本実施の形態では、具体的一例として、光電変換素子６６であるＣＣＤは、原稿画像を白黒画像として読み取る（白黒モード、詳細後述）場合に用いる白黒センサと、原稿画像をカラー画像として読み取る（カラーモード、詳細後述）場合に用いるＲＧＢそれぞれのフィルタが設けられたＲセンサ、Ｇセンサ、Ｂセンサと、合計４ラインのラインセンサを用いている。
【００３２】
本実施の形態の処理部１６は、ＣＣＤ６６から入力された画像信号に基づいて原稿から読み取った生のデータである画像データに補正処理を行い、原稿画像データを生成するものである。図３に、本実施の形態に係る処理部１６の概略構成の一例の機能ブロック図を示す。
【００３３】
本実施の形態の画像読取処理部１４は、上述の光学部７９、光学部７９から受光した光を画像信号に変換するＣＣＤ６６を備えている。ＣＣＤ６６により変換されたアナログの画像信号は、処理部１６に入力され、ＡＦＥ（Ａｎａｌｏｇ  Ｆｒｏｎｔ  Ｅｎｄ、アナログフロントエンド）６９によりデジタルデータに変換される。
【００３４】
本実施の形態の処理部１６は、ＡＦＥ６９、制御部８０、光量データ取得部８２、補正パラメータ生成部８４、記憶部８８、送受信部９０、ユーザインタフェース部９２、及び画像処理部９４を備えて構成されている。
【００３５】
制御部８０は、ＣＰＵ、ＲＯＭ、ＲＡＭ、及びＨＤＤ（いずれも図示省略）により構成され、処理部１６及び画像読取処理部１４の全体を制御するものである。ＣＰＵでは、詳細を後述する画像読取処理の処理プログラムが実行される。ＲＯＭは、各種プログラムやパラメータ等が記憶されており、ＲＡＭは、ＣＰＵによる各種プログラムの実行時におけるワークエリア等として用いられる。なお、画像読取処理の処理プログラムは、ＣＤ−ＲＯＭやＤＶＤ−ＲＯＭ（いずれも図示省略）等の記録媒体に記録しておき、制御部８０内のＨＤＤ等にインストールし、ＣＰＵにより読込まれて実行されるようにしてもよい。
【００３６】
また、制御部８０は、原稿画像を読み取る際には、図示を省略した設定部等に露光周期、ゲイン、ランプの発光光量等を設定し、設定に基づいて動作するように画像読取処理部１４を制御する。
【００３７】
光量データ取得部８２は、デジタル変換された画像信号に基づいて、ランプ７０の光量（ＣＣＤ６６の各センサの受光量）に関する光量データを取得するためのものである。
【００３８】
補正パラメータ生成部８４は、光量データ取得部８２で原稿画像を読み取る際に取得した光量データと、記憶部８８に記憶されている基準光量データとに基づいて、シェーディングデータ等の補正データに関する補正パラメータを生成（算出）するためのものである。補正パラメータ設定部８６は、補正パラメータ生成部８４で生成した補正パラメータを設定（記憶）しておくためものである。
【００３９】
記憶部８８は、画像読取装置１０の電源投入時等、予め定められた時や状態の場合に、光量データ取得部８２で取得した光量データを基準となる基準光量データとして記憶する。また、本実施の形態では、取得されたカラーモード光量データ及び白黒モード光量データ（いずれも詳細後述）を記憶する。
【００４０】
画像処理部９４は、補正パラメータ設定部８６に設定されている補正パラメータを用いて、原稿画像を読み取った生の画像データをシェーディングデータ等により補正し、原稿画像データを生成する。なお、本実施の形態の画像読取装置１０では、原稿画像データを、画像形成装置（図示省略）等に出力して用紙上等に印刷するようにしてもよいし、画像データとしてユーザインタフェース部９２を介してユーザのコンピュータ（図示省略）等に送信するようにしてもよい。
【００４１】
送受信部９０は、画像読取開始指示信号や、原稿画像をカラー画像として読み取るカラーモードや原稿画像を白黒画像として読み取る白黒モード等の読取条件を指示するための読取条件指示信号をユーザインタフェース部９２を介してユーザから受信するためのものである。また、画像読取準備が完了したことを示す連絡等をユーザインタフェース部９２を介して送信するためのものである。なお、本実施の形態では、ユーザが画像読取装置１０のスタートボタン（図示省略）を押し下げたことを示す信号として画像読取開始指示信号がホットラインで受信される。また、読取条件指示信号は、画像読取開始指示信号が受信された後に、シリアル通信で受信される。そのため、画像読取開始指示信号を受信してから、読取条件指示信号を受信するまでの間に時間がある。本実施の形態では、この間の時間に、光量データ取得部８２により光量データを取得する。
【００４２】
次に本実施の形態の画像読取装置１０の制御部８０で実行される画像読取処理動作について説明する。図４は、本実施の形態の画像読取処理の一例を示すフローチャートである。
【００４３】
ステップ１００では、ホットラインがＩＮＡＣＴＩＶＥからＡＣＴＩＶＥになり、送受信部９０で画像読取開始指示信号を受信したか判断する。すなわち本実施の形態では、スタートボタンがユーザにより押し下げられたか否かを判断する。ＡＣＴＩＶＥではない場合、すなわち、スタートボタンが押し下げられていない場合は否定されて待機状態になり、ＡＣＴＩＶＥになった場合、すなわち、スタートボタンが押し下げられた場合は肯定されてステップ１０２へ進む。
【００４４】
ステップ１０２ではフルレートキャリッジ５６を白基準板５２の下に移動させる。
【００４５】
次のステップ１０４では、詳細を後述するカラーモード光量データ取得処理により、読取条件がカラーモード時の光量データを取得する処理を行う。なお、光量データは、白黒センサに関する光量データ（白黒光量データ）と、Ｒ、Ｇ、Ｂの各センサに関する光量データ（カラー光量データ）とを取得する。
【００４６】
次のステップ１０６では、詳細を後述する白黒モード光量データ取得処理により、読取条件が白黒モード時の光量データを取得する処理をステップ１０４と同様に行う。
【００４７】
次のステップ１０８では、フルレートキャリッジ５６を原稿の読取りを開始する位置として予め定められている読取開始位置に移動させる。
【００４８】
次のステップ１１０では、読取条件信号を送受信部９０が受信したか否か判断する。受信していない場合は否定されて待機状態になり、受信した場合は肯定されてステップ１１２へ進む。
【００４９】
ステップ１１２では、受信した読取条件がカラーモードであるか否か判断する。カラーモードである場合は肯定されてステップ１１４へ進む。
【００５０】
ステップ１１４では、ステップ１０４で取得したカラーモード光量データを使用して補正パラメータ生成部８４で補正パラメータを算出（生成）した後、ステップ１１８へ進む。本実施の形態では、補正パラメータの具体的一例として、基準光量データを取得したときと本処理により画像読取の際に光量データを取得したときとの光量比を用いている。光量比の具体的算出の仕方の一例として、露光周期／基準露光周期×ゲイン／基準ゲイン×ランプ発光光量／基準ランプ発光光量、が挙げられる。また、補正パラメータの具体的一例として、基準光量データを取得したときと本処理により画像読取の際に光量データを取得したときとの画像を読み取った黒レベルの変動量を用いている。変動量の算出の具体的一例としては、黒レベルの差または比が挙げられる。
【００５１】
一方、受信した読取条件がカラーモードでない、すなわち、白黒モードである場合は否定されてステップ１１６へ進み、ステップ１０６で取得した白黒モード光量データを使用して補正パラメータ生成部８４で補正パラメータをステップ１１４と同様にして算出（生成）した後、ステップ１１８へ進む。
【００５２】
次のステップ１１８では、上記ステップ１１４またはステップ１１６で算出された補正パラメータを補正パラメータ設定部８６に設定する。
【００５３】
次のステップ１２０では、送受信部９０により原稿画像の読取り準備が完了したことを示す読取準備完了連絡を送信する。
【００５４】
本実施の形態の画像読取装置１０では、処理部１６から送信された読取準備完了連絡により、ユーザインタフェース部９２から送受信部９０に読取実行指示信号が入力され、当該読取実行指示信号が入力されるとランプ７０が点灯し、フルレートキャリッジ５６が読取開始位置から原稿画像の読み取のために移動を開始し、スキャンが実行される。
【００５５】
そのため、ステップ１２２では、読取実行指示信号を受信したか否か判断する。受信していない場合は否定されて待機状態になり、受信した場合は肯定されてステップ１２４へ進み、スキャンが実行される。
【００５６】
なお、画像を読み取る原稿が複数枚ある場合は、原稿を読み取ってから次の原稿の読み取りを開始するまでの間に、受信した読取条件指示信号に対応するモードで光量データを取得し、取得した光量データを用いて補正パラメータを生成し、読み取った画像データに対応付けられるように設定しておくようにすることにより、より精度良く補正が行える。
【００５７】
次のステップ１２６では、画像処理部９４で補正パラメータ設定部８６に設定されている補正パラメータを用いて補正を施し、原稿画像データを生成した後、本処理を終了する。本実施の形態では、具体的一例として画像処理部９４では、画像読取部６５から入力された画像データにシェーディング補正等を施して原稿画像データを生成しているため、予め記憶されている基準光量データに基づいたシェーディングデータに補正パラメータである光量比を乗算したシェーディングデータを用いて画像データに補正を施す。また、黒レベル変動量を減算等して、一定レベルにする補正（オフセットコントロール）を施す。
【００５８】
次に、カラーモード光量データ取得処理（図４、ステップ１０４）について詳細に説明する。図５は、カラーモード光量データ取得処理の一例のフローチャートである。
【００５９】
ステップ２００では、図示を省略した設定部に設定されている画像読取処理部１４で読み取るための設定である、露光周期、ゲイン、ランプ７０の発光光量の設定をカラーモードに変更する。
【００６０】
次のステップ２０２では、ランプ７０をＯＮし、点灯させ、次のステップ２０４では、白基準板５２を読み取り、ランプ光量データを取得し、記憶部８８に記憶する。なお、白基準板５２の全体を読み取るようにしてもよいし、例えば、図２中に点線部Ｂで示した予め定められた位置等を読み取るようにしてもよい。
【００６１】
次のステップ２０６では、ランプ７０をＯＦＦし、消灯させ、次のステップ２０８では黒レベルの変動補正用データとして白基準板５２をステップ２０４と同様にして読み取り、ランプ光量データを取得し、記憶部８８に記憶した後、本処理を終了する。
【００６２】
本処理によりカラーモード光量データとして、ランプ７０をオンした場合の光量データ及びランプ７０をＯＦＦした場合（黒レベル変動補正用）の光量データが記憶部８８に記憶された状態になる。
【００６３】
次に、白黒モード光量データ取得処理（図４、ステップ１０６）について詳細に説明する。図６は、白黒モード光量データ取得処理の一例のフローチャートである。なお、本処理は上述したカラーモード光量データ取得処理（図５）と略同様の処理である。
【００６４】
ステップ３００は、図５のステップ２００に対応し、図示を省略した設定部に設定されている画像読取処理部１４で読み取るための設定である、露光周期、ゲイン、ランプ７０の発光光量の設定を白黒モードに変更する。
【００６５】
次のステップ３０２は図５のステップ２０２に対応し、ステップ３０４は図５のステップ２０４に対応し、ステップ３０６は図５のステップ２０６に対応し、ステップ３０８は図５のステップ２０８に対応しており、それぞれ同様の処理を行う。
【００６６】
本処理により白黒モード光量データとして、ランプ７０をオンした場合の光量データ及びランプ７０をＯＦＦした場合（黒レベル変動補正用）の光量データが記憶部８８に記憶された状態になる。
【００６７】
以上説明したように、本実施の形態では、指示受信部９０で画像読取開始指示信号を受信してから読取条件指示信号を受信するまでの間に、光量データ取得部８２でカラーモード光量データ及び白黒モード光量データを取得し、読取条件指示信号を受信すると、受信した読取指示信号に対応するモードの光量データを用いて、補正パラメータ生成部８４で補正パラメータとして光量比及び黒レベル変動量を算出し、補正パラメータ設定部８６に設定する。指示受信部９０で読取実行指示信号が入力されると、ランプ７０が点灯し、原稿の画像を読み取る。原稿の画像を読み取った画像信号は、処理部１６に入力され、画像処理部９４で補正パラメータ設定部８６に設定されている補正パラメータを用いて補正処理され、原稿画像データが生成される。
【００６８】
このように本実施の形態では、画像読取開始指示信号を受信すると、カラーモード及び白黒モードの光量データを取得し、その後、読取条件指示信号を受信すると対応するモードの光量データを用いて補正パラメータを算出しているため、読取条件指示信号を受信後に、受信したモードの光量データを取得する場合と比較して読み取った画像データの画質を低下させることなく、画像読取開始指示信号を受信してから原稿の読み取りを開始するまでの時間が短縮される。
【００６９】
また、本実施の形態では、原稿の画像を読み取る直前に各光量データを取得している。このように、実際の原稿の画像の読取時により近い状態で取得した光量データを用いて画像データの補正を行うため、例えば、画像読取開始指示信号を受信する前等、事前に取得しておいた光量データを用いて補正をおこなうよりもより精度よく補正が行えるため、読み取った画像データの画質の低下が防止される。
【００７０】
なお、本実施の形態では、カラーモード光量データ及び白黒モード光量データを取得しておき、受信した読取条件指示のモードの補正パラメータを補正パラメータ生成部８４で生成しているがこれに限らず、補正パラメータ生成部８４でカラーモード時の補正パラメータを生成するための中間データ及び白黒モード時の補正パラメータを生成するための中間データを生成し、記憶部８８に記憶しておいてもよい。また、カラーモード時の補正パラメータ及び白黒モード時の補正パラメータを生成し、記憶部８８に記憶しておき、受信した読取条件指示のモードの補正パラメータを記憶部８８から読み取って使用するようにしてもよい。
【００７１】
また、本実施の形態では、読取条件としてカラーモード及び白黒モードの２通りの条件がある場合について詳細に説明したがこれに限らず、その他のモードであっても良いし、さらに複数のモードがあってもよい。この場合、画像読取開始指示信号を受信する（スタートボタンが押し下げられる）と、読取条件指示信号を受信する前に、それぞれのモードに対応する光量データを取得し、読取条件指示信号を受信したら、当該読取条件指示信号に対応するモードの光量データを用いるようにすればよい。
【００７２】
また、光量データの取得は、画像読取開始指示信号を受信して（スタートボタンが押し下げられて）から、読取実行指示信号を受信するまでの間に完了することが好ましく、より好ましくは、画像読取開始指示信号を受信してから読取条件指示信号を受信するまでの間に完了することが好ましい。
【００７３】
また、本実施の形態では、補正パラメータとして光量比及び黒レベル変動量を用いているがこれに限らず、例えば、シェーディングデータそのものを補正パラメータ生成部８４で生成し、補正パラメータとしてもよい。
【００７４】
また、本実施の形態では、白基準板５２を読み取って光量データを取得しているがこれに限らず、例えば図２に示したＣＶＴガラス５４の任意の場所に形成された白基準板５３全体や点線部Ｃで示した予め定められた位置等を読み取って光量データを取得してもよい。また、プラテンガラス５０の端部等を白基準板とみなし、点線部Ｄで示した予め定められた位置等を読み取って光量データを取得してもよい。
【００７５】
また、本実施の形態では、ＣＣＤ６６として、白黒センサ及び、Ｒ、Ｇ、Ｂセンサ（カラーセンサ）の４ラインセンサを用いているがこれに限らない。
【００７６】
また、図１では、画像読取装置１０単体を示しているが、画像読取装置１０は、単体で用いられるだけではなく、コピー、スキャナ、及びファックス等の複数の機能を備えた複合機や、画像形成装置等の一部として用いられるものでもある。
【００７７】
［第２の実施の形態］
以下、図面を参照して本発明の実施の形態を詳細に説明する。なお、本実施の形態の画像読取装置は、第１の実施の形態のカラーモード、白黒モードに加えて、複数のモードに対応する読取条件指示信号が入力される場合に対応するものである。
【００７８】
本実施の形態に係る画像読取装置の全体構成の概略は第１の実施の形態と略同様であるため、ここでは説明を省略する（図１、２参照）。また、本実施の形態の処理部は、第１の実施の形態の処理部１６に対応しており、略同様の構成であるため、ここでは詳細な説明を省略し（図３参照）、異なる部分のみ説明する。
【００７９】
本実施の形態の処理部１６の記憶部８８は、基準光量データ及び予め定められた複数のモード毎の光量データと、その他のモードの光量データと、の光量比を予め記憶する。当該光量比の具体的一例を図７に示す。
【００８０】
本実施の形態では、予め定められた複数のモードを通常の読取条件、通常の速さでフルレートキャリッジ５６を移動させて原稿の画像をカラー画像として読み取るカラーモード（通常）及び通常の読取条件でプラテンガラス５０上に置かれた原稿の画像を白黒画像として読み取る白黒モード（プラテン）と２つのモードとしている。白黒モード（プラテン）は白基準板５２を読み取った光量データである。なお、カラーモード（通常）は第１の実施の形態のカラーモードに対応し、白黒モード（プラテン）が第１の実施の形態の白黒モードに対応している。
【００８１】
図７（Ａ）は、Ｒ、Ｇ、Ｂの各センサに関する光量データであるカラー光量データのカラーモード（通常）を基準とした光量比を示しており、（Ｂ）は、白黒センサに関する光量データである白黒光量データのカラーモード（通常）を基準とした光量比を示している。
【００８２】
なお、カラーモード（拡大）は原稿の画像をカラー画像として読み取る際に拡大して読み取る場合、カラーモード（低速）は原稿の画像をカラー画像として読み取る際に精度の向上等のため低速でフルレートキャリッジ５６を移動させて読み取る場合、カラーモード（高速）は原稿の画像をカラー画像として読み取る際に処理速度の向上等のため高速でフルレートキャリッジ５６を移動させて読み取る場合を示しいている。また、白黒モード（自動）は自動原稿送り装置１２から送られてきた原稿の画像を白黒画像として読み取る場合を示しており、ここではＣＶＴガラス５４の白基準板５３を読み取った光量データである。
【００８３】
なお、図７に具体的一例を示した光量比は、デフォルト値として予め記憶させておいてもよいし、基準光量データを取得する際に各モードの光量データを取得し、光量比を算出し、記憶するようにしてもよい。
【００８４】
また、本実施の形態の制御部８０には、本実施の形態の画像読取処理の処理プログラムが格納されている。制御部８０で実行される当該画像読取処理動作について説明する。図８は、本実施の形態の画像読取処理の一例を示すフローチャートである。本実施の形態の画像読取処理と第１の実施の形態の画像読取処理（図４）とで、同様の処理を行うステップにはその旨を記し、詳細な説明を省略する。
【００８５】
ステップ４００は図４のステップ１００に対応し、ステップ４０２は図４のステップ１０２に対応し、ステップ４０４は図４のステップ１０４に対応し、ステップ４０６は図４のステップ１０６に対応し、ステップ４０８は図４のステップ１０８に対応し、ステップ４１０は図４のステップ１１０に対応し、ステップ４１２は図４のステップ１１２に対応しており、同様の処理を行う。
【００８６】
本実施の形態のステップ４１２でカラーモードであると肯定された場合は、ステップ４１４へ進み、受信した読取条件が「通常」であるか否か判断する。「通常」である場合は肯定されてステップ４１６へ進む。ステップ４１６は図４のステップ１１４に対応しており、ステップ４０４の処理により取得したカラーモード（通常）の光量データを使用して同様の処理を行い、補正パラメータを算出した後、ステップ４２６へ進む。一方、読取条件が「拡大」、「低速」、及び「高速」のいずれかの場合は否定されてステップ４１８へ進む。
【００８７】
ステップ４１８では、ステップ４０４の処理により取得したカラーモード（通常）の光量データに受信したモードに応じた光量比を乗算して得られた光量データを使用して同様の処理を行い、補正パラメータを算出する。例えば、受信したモードが「低速」である場合は、記憶部８８からカラーデータの光量比＝１．１５及び白黒データの光量比＝１．１５を読み取り、ステップ４０４の処理により取得したカラーモード（通常）のカラー光量データに１．１５を乗算したカラー光量データ及び白黒光量データに１．１５を乗算した白黒光量データをそれぞれ使用して補正パラメータを算出した後、ステップ４２６へ進む。
【００８８】
一方、ステップ４１２でカラーモードではないと否定された場合（白黒モードの場合）は、ステップ４２０へ進み、受信した読取条件が「プラテン」であるか否か判断する。「プラテン」である場合は肯定されてステップ４２２へ進む。ステップ４２２は図４のステップ１１６に対応しており、ステップ４０６の処理により取得した白黒モード（プラテン）の光量データを使用して同様の処理を行い、補正パラメータを算出した後、ステップ４２６へ進む。一方、読取条件が「自動」の場合は否定されてステップ４２４へ進む。
【００８９】
ステップ４２４では、ステップ４０６の処理により取得した白黒モード（プラテン）の光量データに受信したモードに応じた光量比を乗算して得られた光量データを使用して同様の処理を行い、補正パラメータを算出する。すなわち、記憶部８８からカラーデータの光量比＝１．２０、１．１５及び白黒データの光量比＝０．６０、０．５７を読み取り、ステップ４０６の処理により取得した白黒モード（プラテン）のカラー光量データに１．１５／１．２０を乗算したカラー光量データ及び白黒光量データに０．５７／０．６０を乗算した白黒光量データをそれぞれ使用して補正パラメータを算出した後、ステップ４２６へ進む。
【００９０】
ステップ４２６は図４のステップ１１８に対応し、ステップ４２８は図４のステップ１２０に対応し、ステップ４３０は図４のステップ１２２に対応し、ステップ４３２は図４のステップ１２４に対応し、ステップ４３４は図４のステップ１２６に対応しており、同様の処理を行って、ステップ４１６〜４２４のいずれかの処理により算出され、設定された受信したモードに対応する補正パラメータを用いて補正処理を行い、原稿画像データを生成する。
【００９１】
以上説明したように、本実施の形態では、予め記憶部８８に、カラーモード（通常）を基準とした各モードの光量比を記憶しておき、指示受信部９０で画像読取開始指示信号を受信してから読取条件指示信号を受信するまでの間に、光量データ取得部８２でカラーモード（通常）光量データ及び白黒モード（プラテン）光量データを取得する。読取条件指示信号を受信すると、受信した読取指示信号に対応するモードがカラーモード（通常）光量データ及び白黒モード（プラテン）光量データの場合は、対応するモードの光量データを用い、それ以外のモードの場合は、対応する光量比を記憶部８８から読み取り、読み取った光量比を取得した光量データに乗算した光量データを当該モードの光量データとして用いて、補正パラメータ生成部８４で補正パラメータとして光量比及び黒レベル変動量を算出し、補正パラメータ設定部８６に設定する。指示受信部９０で読取実行指示信号が入力されると、ランプ７０が点灯し、原稿の画像を読み取る。原稿の画像を読み取った画像信号は、処理部１６に入力され、画像処理部９４で補正パラメータ設定部８６に設定されている補正パラメータを用いて補正処理され、原稿画像データが生成される。
【００９２】
このように本実施の形態では、画像読取開始指示信号を受信すると、予め定められたモードであるカラーモード（通常）及び白黒モード（プラテン）の光量データを取得し、その後、読取条件指示信号を受信すると対応するモードがカラーモード（通常）または白黒モード（プラテン）であれば取得した光量データを用いて補正パラメータを算出し、その他のモードである場合は、対応するモードの光量比を記憶部８８から読取り、カラーモード（通常）または白黒モード（プラテン）の光量データに読み取った光量比を乗算した値を当該モードの光量データとし、これを用いて補正パラメータを算出する。複数の読取条件（モード）の光量データを短時間で取得するため、読取条件（モード）が複数有る画像読取装置１０であっても、画像読取開始指示信号を受信してから原稿の読み取りを開始するまでの時間が短縮される。
【００９３】
なお、本実施の形態では、カラーモード（通常）光量データまたは白黒モード（プラテン）光量データに、光量比を乗算した値を各モードの光量データとし、これを用いて補正パラメータを算出しているがこれに限らず、カラーモード（通常）光量データまたは白黒モード（プラテン）光量データを用いて算出した補正パラメータに受信したモードの光量比を乗算してもよいが、本実施の形態のように、光量データに光量比を乗算する方が補正精度の点から好ましい。
【００９４】
なお、本実施の形態では、読取条件指示信号を受信前にカラーモード（通常）光量データ及び白黒モード（プラテン）光量データを取得しているがこれに限らず、その他のモードの光量データであってもよい。なお、両者の光量比（本実施の形態ではカラーモード（通常）：白黒モード（プラテン））が大きくなる組み合わせとすることが好ましい。
【００９５】
なお、本実施の形態では、読取条件指示信号を受信してから補正パラメータを算出しているがこれに限らず、記憶部８８に記憶されている光量比を用いて全てのモードの補正パラメータを算出して記憶部８８に記憶しておき、受信した読取条件指示のモードの補正パラメータを記憶部８８から読み取って使用するようにしてもよい。
【符号の説明】
【００９６】
１０  画像読取装置
１２  自動原稿送り装置
１４  画像読取処理部
１６  処理部
５０  プラテンガラス
５２  白基準板
５４  ＣＶＴガラス
６５  画像読取部
６６  ＣＣＤ
７０  光源（ランプ）
７９  光学部
８０  制御部
８２  光量データ取得部
８４  補正パラメータ生成部
８６  補正パラメータ設定部
８８  記憶部
９０  送受信部
９２  ユーザインタフェース部
９４  画像処理部
【図１】
2010232880.tif 000003
【図２】
2010232880.tif 000004
【図３】
2010232880.tif 000005
【図４】
2010232880.tif 000006
【図５】
2010232880.tif 000007
【図６】
2010232880.tif 000008
【図７】
2010232880.tif 000009
【図８】
2010232880.tif 000010